【手続補正書】
【提出日】平成29年1月5日(2017.1.5)
【手続補正１】
【補正対象書類名】特許請求の範囲
【補正対象項目名】全文
【補正方法】変更
【補正の内容】
【特許請求の範囲】
【請求項１】
ビデオデータを復号するための方法であって、
サブピクチャタイミングサプルメンタルエンハンスメント(supplemental enhancement)情報（ＳＥＩ）メッセージに関連付けられた復号ユニット（ＤＵ）についてのコード化ピクチャバッファ（ＣＰＢ）除去時間情報を提供する前記サブピクチャタイミングＳＥＩメッセージを復号することと、前記サブピクチャタイミングＳＥＩメッセージに関連付けられた前記ＤＵは、復号順序において、追加のサブピクチャタイミングＳＥＩメッセージを含む任意の後続ＳＥＩネットワークアブストラクションレイヤ（ＮＡＬ）ユニットまでだが、それを含まない、アクセスユニット（ＡＵ）中のすべての後続ＮＡＬユニットを含む、サブピクチャタイミングＳＥＩメッセージを含まない１つまたは複数のＮＡＬユニットが後に続く、前記サブピクチャタイミングＳＥＩメッセージを含むＳＥＩ ＮＡＬユニットからなる、
前記サブピクチャタイミングＳＥＩメッセージから、復号順序において前記ＡＵの最後のＤＵのＣＰＢ除去時間と前記サブピクチャタイミングＳＥＩメッセージに関連付けられた前記ＤＵのＣＰＢ除去時間との間の持続時間を決定することと、
決定された前記持続時間に少なくとも部分的に基づいて、前記サブピクチャタイミングＳＥＩメッセージに関連付けられた前記ＤＵの前記ＣＰＢ除去時間を導出することと、
前記サブピクチャタイミングＳＥＩメッセージに関連付けられた前記ＤＵの前記ＣＰＢ除去時間において、前記サブピクチャタイミングＳＥＩメッセージに関連付けられた前記ＤＵに関連付けられたビデオデータを復号することとを備える方法。
【請求項２】
前記サブピクチャタイミングＳＥＩメッセージに関連付けられた前記ＤＵに関連付けられた前記サブピクチャタイミングＳＥＩメッセージまたはピクチャタイミングＳＥＩメッセージ中のいずれかにおける、１つまたは複数のサブピクチャレベルＣＰＢパラメータの存在を判断するためのシーケンスレベルフラグを復号することをさらに備える、請求項１に記載の方法。
【請求項３】
前記サブピクチャレベルＣＰＢパラメータを復号することをさらに備え、前記サブピクチャタイミングＳＥＩメッセージに関連付けられた前記ＤＵの前記ＣＰＢ除去時間を決定することは、前記サブピクチャレベルＣＰＢパラメータにさらに少なくとも部分的に基づく、請求項２に記載の方法。
【請求項４】
前記シーケンスレベルフラグは、前記サブピクチャレベルＣＰＢパラメータが前記サブピクチャタイミングＳＥＩメッセージ中に存在するべきことを示し、前記サブピクチャレベルＣＰＢパラメータを復号することは、
前記サブピクチャタイミングＳＥＩメッセージに関連付けられた前記ＤＵに関連付けられた前記サブピクチャタイミングＳＥＩメッセージを復号することを備える、請求項３に記載の方法。
【請求項５】
前記サブピクチャタイミングＳＥＩメッセージに関連付けられた前記ＤＵの前記除去時間を決定することは、初期ＣＰＢ除去遅延とオフセットとを復号することなく、前記サブピクチャタイミングＳＥＩメッセージに関連付けられた前記ＤＵの前記除去時間を決定することを備える、請求項１に記載の方法。
【請求項６】
コード化ピクチャバッファと、
１つまたは複数のプロセッサを備えるビデオデコーダと、を備え、前記ビデオデコーダは、
サブピクチャタイミングサプルメンタルエンハンスメント(supplemental enhancement)情報（ＳＥＩ）メッセージに関連付けられた復号ユニット（ＤＵ）についてのコード化ピクチャバッファ（ＣＰＢ）除去時間情報を提供する前記サブピクチャタイミングＳＥＩメッセージを復号し、前記サブピクチャタイミングＳＥＩメッセージに関連付けられた前記ＤＵは、復号順序において、追加のサブピクチャタイミングＳＥＩメッセージを含む任意の後続ＳＥＩネットワークアブストラクションレイヤ（ＮＡＬ）ユニットまでだが、それを含まない、アクセスユニット（ＡＵ）中のすべての後続ＮＡＬユニットを含む、サブピクチャタイミングＳＥＩメッセージを含まない１つまたは複数のＮＡＬユニットが後に続く、前記サブピクチャタイミングＳＥＩメッセージを含むＳＥＩ ＮＡＬユニットからなる、
前記サブピクチャタイミングＳＥＩメッセージから、復号順序において前記ＡＵの最後のＤＵのＣＰＢ除去時間と前記サブピクチャタイミングＳＥＩメッセージに関連付けられた前記ＤＵのＣＰＢ除去時間との間の持続時間を決定し、
決定された前記持続時間に少なくとも部分的に基づいて、前記サブピクチャタイミングＳＥＩメッセージに関連付けられた前記ＤＵの前記ＣＰＢ除去時間を導出し、
前記サブピクチャタイミングＳＥＩメッセージに関連付けられた前記ＤＵの前記ＣＰＢ除去時間において、前記サブピクチャタイミングＳＥＩメッセージに関連付けられた前記ＤＵに関連付けられたビデオデータを復号するように構成される、ビデオ復号デバイス。
【請求項７】
前記ビデオデコーダは、さらに、
前記サブピクチャタイミングＳＥＩメッセージに関連付けられた前記ＤＵに関連付けられた前記サブピクチャタイミングＳＥＩメッセージまたはピクチャタイミングＳＥＩメッセージ中のいずれかにおける、１つまたは複数のサブピクチャレベルＣＰＢパラメータの存在を判断するためのシーケンスレベルフラグを復号するように構成される、請求項６に記載のビデオ復号デバイス。
【請求項８】
前記ビデオデコーダは、さらに、
前記サブピクチャレベルＣＰＢパラメータを復号するように構成され、前記ビデオデコーダは、決定された前記持続時間と前記サブピクチャレベルＣＰＢパラメータに少なくとも部分的に基づいて、前記サブピクチャタイミングＳＥＩメッセージに関連付けられた前記ＤＵの前記ＣＰＢ除去時間を決定するように構成される、請求項７に記載のビデオ復号デバイス。
【請求項９】
前記シーケンスレベルフラグは、前記サブピクチャレベルＣＰＢパラメータが前記サブピクチャタイミングＳＥＩメッセージ中に存在するべきであることを示し、前記ビデオデコーダは、前記サブピクチャレベルＣＰＢパラメータを復号することの一部として、前記ビデオデコーダが前記サブピクチャタイミングＳＥＩメッセージに関連付けられた前記ＤＵに関連付けられた前記サブピクチャタイミングＳＥＩメッセージを復号するように構成される、請求項８に記載のビデオ復号デバイス。
【請求項１０】
前記ビデオデコーダは、前記ビデオデコーダが初期ＣＰＢ除去遅延とオフセットとを復号することなく、前記サブピクチャタイミングＳＥＩメッセージに関連付けられた前記ＤＵの前記除去時間を決定するように構成される、請求項６に記載のビデオ復号デバイス。
【請求項１１】
命令を記憶した非一時的コンピュータ可読記憶媒体であって、前記命令は、実行されると、ビデオデータを復号するためのデバイスのプロセッサに、
サブピクチャタイミングサプルメンタルエンハンスメント(supplemental enhancement)情報（ＳＥＩ）メッセージに関連付けられた復号ユニット（ＤＵ）についてのコード化ピクチャバッファ（ＣＰＢ）除去時間情報を提供する前記サブピクチャタイミングＳＥＩメッセージを復号させ、前記サブピクチャタイミングＳＥＩメッセージに関連付けられた前記ＤＵは、復号順序において、追加のサブピクチャタイミングＳＥＩメッセージを含む任意の後続ＳＥＩネットワークアブストラクションレイヤ（ＮＡＬ）ユニットまでだが、それを含まない、アクセスユニット（ＡＵ）中のすべての後続ＮＡＬユニットを含む、サブピクチャタイミングＳＥＩメッセージを含まない１つまたは複数のＮＡＬユニットが後に続く、前記サブピクチャタイミングＳＥＩメッセージを含むＳＥＩ ＮＡＬユニットからなる、
前記サブピクチャタイミングＳＥＩメッセージから、復号順序において前記ＡＵの最後のＤＵのＣＰＢ除去時間と前記サブピクチャタイミングＳＥＩメッセージに関連付けられた前記ＤＵのＣＰＢ除去時間との間の持続時間を決定させ、
決定された前記持続時間に少なくとも部分的に基づいて、前記サブピクチャタイミングＳＥＩメッセージに関連付けられた前記ＤＵの前記ＣＰＢ除去時間を導出させ、
前記サブピクチャタイミングＳＥＩメッセージに関連付けられた前記ＤＵの前記ＣＰＢ除去時間において、前記サブピクチャタイミングＳＥＩメッセージに関連付けられた前記ＤＵに関連付けられたビデオデータを復号させる非一時的コンピュータ可読記憶媒体。
【請求項１２】
前記命令は、実行されると、前記プロセッサにさらに、
前記サブピクチャタイミングＳＥＩメッセージに関連付けられた前記ＤＵに関連付けられた前記サブピクチャタイミングＳＥＩメッセージまたはピクチャタイミングＳＥＩメッセージ中のいずれかにおける、１つまたは複数のサブピクチャレベルＣＰＢパラメータの存在を判断するためのシーケンスレベルフラグを復号させる、請求項１１に記載のコンピュータ可読記憶媒体。
【請求項１３】
前記命令は、実行されると、前記プロセッサにさらに、前記サブピクチャレベルＣＰＢパラメータを復号させ、
前記命令は、実行されると、前記プロセッサに、前記サブピクチャレベルＣＰＢパラメータに少なくとも部分的に基づいて、前記サブピクチャタイミングＳＥＩメッセージに関連付けられた前記ＤＵの前記ＣＰＢ除去時間を決定させる、請求項１２に記載のコンピュータ可読記憶媒体。
【請求項１４】
前記シーケンスレベルフラグは、前記サブピクチャレベルＣＰＢパラメータが前記サブピクチャタイミングＳＥＩメッセージ中に存在するべきことを示し、前記プロセッサに前記サブピクチャレベルＣＰＢパラメータを復号させることの一部として、前記命令は、実行されると、前記プロセッサに、前記サブピクチャタイミングＳＥＩメッセージに関連付けられた前記ＤＵに関連付けられた前記サブピクチャタイミングＳＥＩメッセージを復号させる、請求項１１に記載のコンピュータ可読記憶媒体。
【請求項１５】
サブピクチャタイミングサプルメンタルエンハンスメント(supplemental enhancement)情報（ＳＥＩ）メッセージに関連付けられた復号ユニット（ＤＵ）についてのコード化ピクチャバッファ（ＣＰＢ）除去時間情報を提供する前記サブピクチャタイミングＳＥＩメッセージを復号するための手段と、前記サブピクチャタイミングＳＥＩメッセージに関連付けられた前記ＤＵは、復号順序において、追加のサブピクチャタイミングＳＥＩメッセージを含む任意の後続ＳＥＩネットワークアブストラクションレイヤ（ＮＡＬ）ユニットまでだが、それを含まない、アクセスユニット（ＡＵ）中のすべての後続ＮＡＬユニットを含む、サブピクチャタイミングＳＥＩメッセージを含まない１つまたは複数のＮＡＬユニットが後に続く、前記サブピクチャタイミングＳＥＩメッセージを含むＳＥＩ ＮＡＬユニットからなる、
前記サブピクチャタイミングＳＥＩメッセージから、復号順序において前記ＡＵの最後のＤＵのコード化ピクチャバッファ（ＣＰＢ）除去時間と前記サブピクチャタイミングＳＥＩメッセージに関連付けられた前記ＤＵのＣＰＢ除去時間との間の持続時間を決定するための手段と、
決定された前記持続時間に少なくとも部分的に基づいて、前記サブピクチャタイミングＳＥＩメッセージに関連付けられた前記ＤＵの前記ＣＰＢ除去時間を導出するための手段と、
前記サブピクチャタイミングＳＥＩメッセージに関連付けられた前記ＤＵの前記ＣＰＢ除去時間において、前記サブピクチャタイミングＳＥＩメッセージに関連付けられた前記ＤＵに関連付けられたビデオデータを復号するための手段とを備えるビデオ復号デバイス。
【請求項１６】
前記サブピクチャタイミングＳＥＩメッセージに関連付けられた前記ＤＵに関連付けられた前記サブピクチャタイミングＳＥＩメッセージまたはピクチャタイミングＳＥＩメッセージ中のいずれかにおける、１つまたは複数のサブピクチャレベルＣＰＢパラメータの存在を判断するためのシーケンスレベルフラグを復号するための手段をさらに備える、請求項１５に記載のビデオ復号デバイス。
【請求項１７】
前記サブピクチャレベルＣＰＢパラメータを復号するための手段をさらに備え、前記サブピクチャタイミングＳＥＩメッセージに関連付けられた前記ＤＵの前記ＣＰＢ除去時間を決定することは、前記サブピクチャレベルＣＰＢパラメータにさらに少なくとも部分的に基づく、請求項１６に記載のビデオ復号デバイス。
【請求項１８】
前記シーケンスレベルフラグは、前記サブピクチャレベルＣＰＢパラメータが前記サブピクチャタイミングＳＥＩメッセージ中に存在するべきことを示し、前記サブピクチャレベルＣＰＢパラメータを復号するための手段は、前記サブピクチャタイミングＳＥＩメッセージに関連付けられた前記ＤＵに関連付けられた前記サブピクチャタイミングＳＥＩメッセージを復号するための手段を備える、請求項１７に記載のビデオ復号デバイス。
【請求項１９】
ビデオデータを符号化するための方法であって、
アクセスユニット（ＡＵ）中の第１の復号ユニット（ＤＵ）のコード化ピクチャバッファ（ＣＰＢ）除去時間を決定することと、
前記ＡＵ中の前記第１のＤＵの前記ＣＰＢ除去時間と前記ＡＵ中の第２のＤＵのＣＰＢ除去時間との間の持続時間を決定することと、
前記第１のＤＵを符号化することと、前記第１のＤＵを符号化することは、前記ＡＵに関連付けられたサブピクチャタイミングサプルメンタルエンハンスメント(supplemental enhancement)情報（ＳＥＩ）メッセージ中で前記持続時間を符号化することを備える、
を備え、
前記第１のＤＵは、前記ＡＵ中にあり、復号順序において、追加のサブピクチャタイミングＳＥＩメッセージを含む任意の後続ＳＥＩネットワークアブストラクションレイヤ（ＮＡＬ）ユニットまでだが、それを含まない、前記ＡＵ中のすべての後続ＮＡＬユニットを含む、サブピクチャタイミングＳＥＩメッセージを含まない１つまたは複数のＮＡＬユニットが後に続く、前記持続時間が符号化された前記サブピクチャタイミングＳＥＩメッセージを含むＳＥＩ ＮＡＬユニットからなる、方法。
【請求項２０】
１つまたは複数のサブピクチャレベルＣＰＢパラメータを符号化することをさらに備える、請求項１９に記載の方法。
【請求項２１】
前記第１のＤＵに関連付けられた前記サブピクチャタイミングＳＥＩメッセージまたはピクチャタイミングＳＥＩメッセージのいずれかにおける、前記１つまたは複数のサブピクチャレベルＣＰＢパラメータの存在を示すためのシーケンスレベルフラグを符号化することをさらに備える、請求項２０に記載の方法。
【請求項２２】
前記シーケンスレベルフラグは、前記サブピクチャレベルＣＰＢパラメータが前記サブピクチャタイミングＳＥＩメッセージ中に存在することを示し、前記１つまたは複数のサブピクチャレベルＣＰＢパラメータを符号化することは、前記ＡＵに関連付けられた前記サブピクチャタイミングＳＥＩメッセージを符号化することを備える、請求項２１に記載の方法。
【請求項２３】
前記第２のＤＵは、復号順序において、前記ＡＵ中の最後のＤＵである、請求項１９に記載の方法。
【請求項２４】
前記第２のＤＵは、復号順序において、前記ＡＵ中の前記第１のＤＵの直後である、請求項１９に記載の方法。
【請求項２５】
前記持続時間を決定することは、初期ＣＰＢ除去遅延とオフセットとを符号化することなく、前記第１のＤＵの除去時間を決定することを備える、請求項１９に記載の方法。
【請求項２６】
コード化ピクチャバッファ（ＣＰＢ）と、
ビデオエンコーダと、を備え、前記ビデオエンコーダは、
アクセスユニット（ＡＵ）中の第１の復号ユニット（ＤＵ）のＣＰＢ除去時間を決定することと、
前記ＡＵ中の前記第１のＤＵの前記ＣＰＢ除去時間と前記ＡＵ中の第２のＤＵのＣＰＢ除去時間との間の持続時間を決定し、
前記第１のＤＵを符号化する、前記第１のＤＵを符号化することは、前記ＡＵに関連付けられたサブピクチャタイミングサプルメンタルエンハンスメント(supplemental enhancement)情報（ＳＥＩ）メッセージ中で前記持続時間を符号化することを備える、
ように構成され、
前記第１のＤＵは、前記ＡＵ中にあり、復号順序において、追加のサブピクチャタイミングＳＥＩメッセージを含む任意の後続ＳＥＩネットワークアブストラクションレイヤ（ＮＡＬ）ユニットまでだが、それを含まない、前記ＡＵ中のすべての後続ＮＡＬユニットを含む、サブピクチャタイミングＳＥＩメッセージを含まない１つまたは複数のＮＡＬユニットが後に続く、前記持続時間が符号化された前記サブピクチャタイミングＳＥＩメッセージを含むＳＥＩ ＮＡＬユニットからなる、ビデオ符号化デバイス。
【請求項２７】
前記ビデオエンコーダは、さらに、１つまたは複数のサブピクチャレベルＣＰＢパラメータを符号化するように構成される、請求項２６に記載のビデオ符号化デバイス。
【請求項２８】
前記ビデオエンコーダは、さらに、前記第１のＤＵに関連付けられた前記サブピクチャタイミングＳＥＩメッセージまたはピクチャタイミングＳＥＩメッセージのいずれかにおける、前記１つまたは複数のサブピクチャレベルＣＰＢパラメータの存在を示すためのシーケンスレベルフラグを符号化するように構成される、請求項２７に記載のビデオ符号化デバイス。
【請求項２９】
前記シーケンスレベルフラグは、前記サブピクチャレベルＣＰＢパラメータが前記サブピクチャタイミングＳＥＩメッセージ中に存在することを示し、前記ビデオエンコーダは、前記ＡＵに関連付けられた前記サブピクチャタイミングＳＥＩメッセージを符号化するように構成される、請求項２８に記載のビデオ符号化デバイス。
【請求項３０】
前記第２のＤＵは、復号順序において、前記ＡＵ中の最後のＤＵである、請求項２６に記載のビデオ符号化デバイス。
【請求項３１】
前記第２のＤＵは、復号順序において、前記ＡＵ中の前記第１のＤＵの直後である、請求項２６に記載のビデオ符号化デバイス。
【請求項３２】
前記ビデオエンコーダは、初期ＣＰＢ除去遅延とオフセットとを符号化することなく、前記第１のＤＵの除去時間を決定するように構成される、請求項２６に記載のビデオ符号化デバイス。
【請求項３３】
命令を記憶した非一時的コンピュータ可読記憶媒体であって、前記命令は、実行されると、ビデオデータを符号化するためのデバイスのプロセッサに、
アクセスユニット（ＡＵ）中の第１の復号ユニット（ＤＵ）のコード化ピクチャバッファ（ＣＰＢ）除去時間を決定させ、
前記ＡＵ中の前記第１のＤＵの前記ＣＰＢ除去時間と前記ＡＵ中の第２のＤＵのＣＰＢ除去時間との間の持続時間を決定させ、
前記第１のＤＵを符号化させる、前記第１のＤＵを符号化することは、前記ＡＵに関連付けられたサブピクチャタイミングサプルメンタルエンハンスメント(supplemental enhancement)情報（ＳＥＩ）メッセージ中で前記持続時間を符号化することを備える、
前記第１のＤＵは、前記ＡＵ中にあり、復号順序において、追加のサブピクチャタイミングＳＥＩメッセージを含む任意の後続ＳＥＩネットワークアブストラクションレイヤ（ＮＡＬ）ユニットまでだが、それを含まない、前記ＡＵ中のすべての後続ＮＡＬユニットを含む、サブピクチャタイミングＳＥＩメッセージを含まない１つまたは複数のＮＡＬユニットが後に続く、前記持続時間が符号化された前記サブピクチャタイミングＳＥＩメッセージを含むＳＥＩ ＮＡＬユニットからなる、非一時的コンピュータ可読記憶媒体。
【請求項３４】
前記命令は、実行されると、前記プロセッサにさらに、
１つまたは複数のサブピクチャレベルＣＰＢパラメータを符号化させる、請求項３３に記載のコンピュータ可読記憶媒体。
【請求項３５】
前記命令は、実行されると、前記プロセッサにさらに、
前記第１のＤＵに関連付けられた前記サブピクチャタイミングＳＥＩメッセージまたはピクチャタイミングＳＥＩメッセージのいずれかにおける、前記１つまたは複数のサブピクチャレベルＣＰＢパラメータの存在を示すためのシーケンスレベルフラグを符号化させる、請求項３４に記載のコンピュータ可読記憶媒体。
【請求項３６】
前記シーケンスレベルフラグは、前記サブピクチャレベルＣＰＢパラメータが前記サブピクチャタイミングＳＥＩメッセージ中に存在することを示し、前記プロセッサに前記１つまたは複数のサブピクチャレベルＣＰＢパラメータを符号化させることの一部として、前記命令は、前記プロセッサに、前記ＡＵに関連付けられた前記サブピクチャタイミングＳＥＩメッセージを符号化させる、請求項３５に記載のコンピュータ可読記憶媒体。
【請求項３７】
前記ＡＵのピクチャを復号することと、ディスプレイに復号された前記ピクチャを出力することと、をさらに備える、請求項１に記載の方法。
【請求項３８】
ディスプレイをさらに備え、前記ビデオデコーダは、前記ＡＵのピクチャを復号し、前記ディスプレイ上に復号された前記ピクチャを表示するように構成される、請求項６に記載のビデオ復号デバイス。
【請求項３９】
前記ビデオ復号デバイスは、
集積回路、
マイクロプロセッサ、または、
ワイヤレス通信デバイス、
のうち少なくとも１つを備える、請求項６に記載のビデオ復号デバイス。
【請求項４０】
仮想ストリームスケジューラ（ＨＳＳ）のためのＣＰＢへの前記第１のＤＵに関連付けられた前記ビデオデータのできるだけ早い到着時間を計算するために復号された前記持続時間を使用することをさらに備える、請求項１に記載の方法。
【請求項４１】
前記ビデオデコーダは、さらに、仮想ストリームスケジューラ（ＨＳＳ）のためのＣＰＢへの前記第１のＤＵに関連付けられた前記ビデオデータのできるだけ早い到着時間を計算するために復号された前記持続時間を使用するように構成される、請求項６に記載のビデオ復号デバイス。
【請求項４２】
仮想参照デコーダは、前記第１のＤＵに関連付けられた前記ビデオデータを瞬時に復号すると仮定される、請求項１に記載の方法。
【請求項４３】
仮想参照デコーダは、前記第１のＤＵに関連付けられた前記ビデオデータを瞬時に復号すると仮定される、請求項６に記載のビデオ復号デバイス。
【請求項４４】
仮想参照デコーダは、前記第１のＤＵに関連付けられた前記ビデオデータを瞬時に復号すると仮定される、請求項１１に記載の非一時的コンピュータ可読記憶媒体。
【請求項４５】
仮想参照デコーダは、前記第１のＤＵに関連付けられた前記ビデオデータを瞬時に復号すると仮定される、請求項１５に記載のビデオ復号デバイス。
【請求項４６】
前記サブピクチャタイミングＳＥＩメッセージに関連付けられた前記ＤＵの前記ＣＰＢ除去時間を導出することは、
０に等しいシンタックス要素に基づいて、ＣＰＢ除去遅延変数を決定された前記持続時間にセットすることと、１に等しい前記シンタックス要素は、サブピクチャレベルＣＰＢ除去遅延パラメータがピクチャタイミングＳＥＩメッセージ中に存在し、サブピクチャタイミングＳＥＩメッセージが存在しないことを指定し、０に等しい前記シンタックス要素は、サブピクチャレベルＣＰＢ除去遅延パラメータがサブピクチャタイミングＳＥＩメッセージ中に存在し、ピクチャタイミングＳＥＩメッセージがサブピクチャレベルＣＰＢ除去遅延パラメータを含まないことを指定する、
０に等しい前記シンタックス要素に基づいて、前記サブピクチャタイミングＳＥＩメッセージに関連付けられた前記ＤＵの名目除去時間を
【数１】
2015533057.tif 000001
として設定することと、ｔｔ，ｎは、前記サブピクチャタイミングＳＥＩに関連付けられた前記ＤＵの前記名目除去時間であり、ｔｒ，ｎ（ｎ）は、前記アクセスユニットの名目除去時間であり、ｔｃ＿ｓｕｂは、サブピクチャクロックティックであり、ＣｐｂＲｅｍｏｖａｌＤｅｌａｙ（ｍ）は、前記ＣＰＢ除去遅延変数である、
前記サブピクチャタイミングＳＥＩメッセージに関連付けられた前記復号ユニットの最終到着時間以上である前記サブピクチャタイミングＳＥＩメッセージに関連付けられた前記ＤＵの前記名目除去時間に基づいて、前記サブピクチャタイミングＳＥＩメッセージに関連付けられた前記ＤＵの前記ＣＰＢ除去時間を前記サブピクチャタイミングＳＥＩメッセージに関連付けられた前記ＤＵの前記名目除去時間に等しくセットすることと、
を備える、請求項１に記載の方法。
【請求項４７】
前記ビデオデコーダは、前記サブピクチャタイミングＳＥＩメッセージに関連付けられた前記ＤＵの前記ＣＰＢ除去時間を導出することの一部として、前記ビデオデコーダが、
０に等しいシンタックス要素に基づいて、ＣＰＢ除去遅延変数を決定された前記持続時間にセットし、１に等しい前記シンタックス要素は、サブピクチャレベルＣＰＢ除去遅延パラメータがピクチャタイミングＳＥＩメッセージ中に存在し、サブピクチャタイミングＳＥＩメッセージが存在しないことを指定し、０に等しい前記シンタックス要素は、サブピクチャレベルＣＰＢ除去遅延パラメータがサブピクチャタイミングＳＥＩメッセージ中に存在し、ピクチャタイミングＳＥＩメッセージがサブピクチャレベルＣＰＢ除去遅延パラメータを含まないことを指定する、
０に等しい前記シンタックス要素に基づいて、前記サブピクチャタイミングＳＥＩメッセージに関連付けられた前記ＤＵの名目除去時間を
【数２】
2015533057.tif 000002
として設定し、ｔｔ，ｎは、前記サブピクチャタイミングＳＥＩに関連付けられた前記ＤＵの前記名目除去時間であり、ｔｒ，ｎ（ｎ）は、前記アクセスユニットの名目除去時間であり、ｔｃ＿ｓｕｂは、サブピクチャクロックティックであり、ＣｐｂＲｅｍｏｖａｌＤｅｌａｙ（ｍ）は、前記ＣＰＢ除去遅延変数である、
前記サブピクチャタイミングＳＥＩメッセージに関連付けられた前記復号ユニットの最終到着時間以上である前記サブピクチャタイミングＳＥＩメッセージに関連付けられた前記ＤＵの前記名目除去時間に基づいて、前記サブピクチャタイミングＳＥＩメッセージに関連付けられた前記ＤＵの前記ＣＰＢ除去時間を前記サブピクチャタイミングＳＥＩメッセージに関連付けられた前記ＤＵの前記名目除去時間に等しくセットする、
ように構成される、請求項６に記載のビデオ復号デバイス。
【請求項４８】
前記プロセッサに、前記サブピクチャタイミングＳＥＩメッセージに関連付けられた前記ＤＵの前記ＣＰＢ除去時間を導出させることの一部として、前記命令は、前記プロセッサに、
０に等しいシンタックス要素に基づいて、ＣＰＢ除去遅延変数を決定された前記持続時間にセットさせ、１に等しい前記シンタックス要素は、サブピクチャレベルＣＰＢ除去遅延パラメータがピクチャタイミングＳＥＩメッセージ中に存在し、サブピクチャタイミングＳＥＩメッセージが存在しないことを指定し、０に等しい前記シンタックス要素は、サブピクチャレベルＣＰＢ除去遅延パラメータがサブピクチャタイミングＳＥＩメッセージ中に存在し、ピクチャタイミングＳＥＩメッセージがサブピクチャレベルＣＰＢ除去遅延パラメータを含まないことを指定する、
０に等しい前記シンタックス要素に基づいて、前記サブピクチャタイミングＳＥＩメッセージに関連付けられた前記ＤＵの名目除去時間を
【数３】
2015533057.tif 000003
として設定させ、ｔｔ，ｎは、前記サブピクチャタイミングＳＥＩに関連付けられた前記ＤＵの前記名目除去時間であり、ｔｒ，ｎ（ｎ）は、前記アクセスユニットの名目除去時間であり、ｔｃ＿ｓｕｂは、サブピクチャクロックティックであり、ＣｐｂＲｅｍｏｖａｌＤｅｌａｙ（ｍ）は、前記ＣＰＢ除去遅延変数である、
前記サブピクチャタイミングＳＥＩメッセージに関連付けられた前記復号ユニットの最終到着時間以上である前記サブピクチャタイミングＳＥＩメッセージに関連付けられた前記ＤＵの前記名目除去時間に基づいて、前記サブピクチャタイミングＳＥＩメッセージに関連付けられた前記ＤＵの前記ＣＰＢ除去時間を前記サブピクチャタイミングＳＥＩメッセージに関連付けられた前記ＤＵの前記名目除去時間に等しくセットさせる、
請求項１１に記載の非一時的コンピュータ可読記憶媒体。
【請求項４９】
前記サブピクチャタイミングＳＥＩメッセージに関連付けられた前記ＤＵの前記ＣＰＢ除去時間を導出するための手段は、
０に等しいシンタックス要素に基づいて、ＣＰＢ除去遅延変数を決定された前記持続時間にセットするための手段と、１に等しい前記シンタックス要素は、サブピクチャレベルＣＰＢ除去遅延パラメータがピクチャタイミングＳＥＩメッセージ中に存在し、サブピクチャタイミングＳＥＩメッセージが存在しないことを指定し、０に等しい前記シンタックス要素は、サブピクチャレベルＣＰＢ除去遅延パラメータがサブピクチャタイミングＳＥＩメッセージ中に存在し、ピクチャタイミングＳＥＩメッセージがサブピクチャレベルＣＰＢ除去遅延パラメータを含まないことを指定する、
０に等しい前記シンタックス要素に基づいて、前記サブピクチャタイミングＳＥＩメッセージに関連付けられた前記ＤＵの名目除去時間を
【数４】
2015533057.tif 000004
として設定するための手段と、ｔｔ，ｎは、前記サブピクチャタイミングＳＥＩに関連付けられた前記ＤＵの前記名目除去時間であり、ｔｒ，ｎ（ｎ）は、前記アクセスユニットの名目除去時間であり、ｔｃ＿ｓｕｂは、サブピクチャクロックティックであり、ＣｐｂＲｅｍｏｖａｌＤｅｌａｙ（ｍ）は、前記ＣＰＢ除去遅延変数である、
前記サブピクチャタイミングＳＥＩメッセージに関連付けられた前記復号ユニットの最終到着時間以上である前記サブピクチャタイミングＳＥＩメッセージに関連付けられた前記ＤＵの前記名目除去時間に基づいて、前記サブピクチャタイミングＳＥＩメッセージに関連付けられた前記ＤＵの前記ＣＰＢ除去時間を前記サブピクチャタイミングＳＥＩメッセージに関連付けられた前記ＤＵの前記名目除去時間に等しくセットするための手段と、
を備える、請求項１５に記載のビデオ復号デバイス。